(57)【要約】【課題】カウンターとシンクとの接合強度に優れ、カウンターとシンクとの間に隙間が生じることを抑制し、かつ接着剤の使用量を低減可能なカウンターとシンクの接合構造を提供する。【解決手段】本発明のカウンターとシンクの接合構造は、カウンター１の開口部の内周縁１１に隙間２を空けて対向配置したシンク３の折り返し片３１を接着剤４を介して一体的に接合したカウンターとシンクの接合構造において、カウンター１の内周縁１１からカウンター１の内部に形成された溝部１２が内周縁１１の全周にわたって設けられており、かつカウンター１の裏面１３から溝部１２に至る穴部１４が内周縁１１に沿って所定の間隔を開けて設けられている。【選択図】図１
2016211232.tif 000002
【特許請求の範囲】
【請求項１】
カウンターの開口部の内周縁に隙間を空けて対向配置したシンクの折り返し片を接着剤を介して一体的に接合したカウンターとシンクの接合構造において、前記カウンターの前記内周縁から前記カウンターの内部に形成された溝部が前記内周縁の全周にわたって設けられており、かつ前記カウンターの裏面から前記溝部に至る穴部が前記内周縁に沿って所定の間隔を開けて設けられていることを特徴とするカウンターとシンクの接合構造。
【請求項２】
前記シンクの前記折り返し片において、前記カウンターの前記溝部と対向する位置に貫通孔が所定の間隔を開けて設けられており、かつ接合部材が前記貫通孔を通じて前記溝部に差し込まれていることを特徴とする請求項１に記載のカウンターとシンクの接合構造。
【発明の詳細な説明】
【技術分野】
【０００１】
本発明は、カウンターとシンクの接合構造に関する。
【背景技術】
【０００２】
従来、システムキッチン等で使用されるキッチンカウンターとしては、カウンターに形成された開口部に、隙間を介してシンクを嵌入してなる構造のものが知られている。例えば、特許文献１においては、カウンターに形成された開口部に、床面に対し略垂直に延び、かつ貫通孔が設けられた折り返し垂下片が周設されたシンクを嵌入している。そして、開口部を形成するカウンターの内周縁とシンクの折り返し垂下片との間の隙間に接着剤を注入し、硬化させることで、接合部が形成されている。
【０００３】
また、特許文献２では、シンクをカウンターおよびカウンター補強用の桟木に、より強固に接合させる観点から、改良の提案がなされている。具体的には、図４に示すように、カウンター７の裏面における桟木８の取り付け部分と開口部７ａとの間に、凸部からなるアンカー部７ｂが形成されている。また、桟８には切り込み部８ａが形成され、シンク９の折曲片９ａには孔９ｂが形成されている。そして、接着剤１０を、アンカー部７ｂ、切り込み部８ａおよび孔９ｂにも充填することによって、シンク９をカウンター７および桟木８に強固に接合することができる構造とすることが提案されている。
【先行技術文献】
【特許文献】
【０００４】
【特許文献１】特開２０１０−１７４４３２号公報
【特許文献２】特開２００９−１７４２７９号公報
【発明の概要】
【発明が解決しようとする課題】
【０００５】
しかしながら、このような従来の接合構造を備えたキッチンカウンターにおいては、依然として、カウンター７とシンク９との間に隙間が生じる場合があるという課題があった。具体的には、例えば、図４に白抜き矢印で示すように、シンク９の上面９ｄに対して下向きの荷重が加わった場合、カウンター７の内周縁７ｃと接着剤１０との接合が損なわれ、内周縁７ｃと接着剤１０との間に隙間が生じることが懸念されるようになっていた。
【０００６】
また、上述したような接合強度に対する懸念が存在することに起因して、カウンターとシンクの接合強度を確保し、キッチンカウンターの意匠性や耐久性を損なわないようにするために、接着剤の使用量が増加する傾向にあるという課題もあった。
【０００７】
本発明は、以上のとおりの事情に鑑みてなされたものであり、カウンターとシンクとの接合強度に優れ、カウンターとシンクとの間に隙間が生じることを抑制し、かつ接着剤の使用量を低減可能なカウンターとシンクの接合構造を提供することを目的としている。
【課題を解決するための手段】
【０００８】
上記の目的を達成するために、本発明のカウンターとシンクの接合構造は、カウンターの開口部の内周縁に隙間を空けて対向配置したシンクの折り返し片を接着剤を介して一体的に接合したカウンターとシンクの接合構造において、前記カウンターの前記内周縁から前記カウンターの内部に形成された溝部が前記内周縁の全周にわたって設けられており、かつ前記カウンターの裏面から前記溝部に至る穴部が前記内周縁に沿って所定の間隔を開けて設けられていることを特徴とする。
【発明の効果】
【０００９】
本発明によれば、カウンターとシンクとの接合強度に優れ、カウンターとシンクとの間に隙間が生じることを抑制し、かつ接着剤の使用量を低減可能なカウンターとシンクの接合構造が提供される。
【図面の簡単な説明】
【００１０】
【図１】本発明の第一の実施形態を示す模式断面図である。
【図２】本発明の第一の実施形態において、カウンターの構造を示す部分模式斜視図である。
【図３】本発明の第二の実施形態を示す模式断面図である。
【図４】従来のカウンターとシンクの接合構造の一例を示す模式断面図である。
【発明を実施するための形態】
【００１１】
以下、本発明の実施形態について、図面を参照しつつ詳細に説明する。なお、以下では、特に記載する場合を除き、意匠面となるカウンターの表面側（シンクの開口側）を上方、カウンターの裏面側（シンクの底部側）を下方として説明する。
【００１２】
まず、第一の実施形態について説明する。図１は、本発明の第一の実施形態を示す模式断面図である。図２は、本発明の第一の実施形態において、カウンターの構造を示す部分模式斜視図である。
【００１３】
本実施形態に係るカウンターとシンクの接合構造は、図１に示すように、カウンター１の開口部の内周縁１１に隙間２を空けて対向配置したシンク３の折り返し片３１を、接着剤４を介して一体的に接合した構造である。また、図１および図２に示すように、カウンター１の内周縁１１からカウンター１の内部に形成された溝部１２が内周縁１１の全周にわたって設けられている。また、カウンター１の裏面１３から溝部１２に至る穴部１４が、内周縁１１に沿って所定の間隔を開けて設けられている。
【００１４】
溝部１２の形状、内周縁１１からカウンター１の内部方向への長さ、設置数、設置間隔等は、カウンター１に接合されるシンク３の形状やサイズ、接着剤４の種類や粘度等に応じて適宜設定することができる。溝部１２は、同じ内部方向への長さの溝を、内周縁１１全周に設けるようにしてもよい。また、溝部１２と同様に、穴部１４の形状、カウンター１の裏面１３からカウンター１の内部方向への長さ、設置数、設置間隔等は、カウンター１に接合されるシンク３の形状やサイズ、接着剤４の種類や粘度等に応じて適宜設定することができる。
【００１５】
また、カウンター１の裏面１３には、内周縁１１から一定の間隔を空けて桟木５が全周にわたって設けられている。
【００１６】
シンク３の開口外周部の上端縁には、図１に示すように、外方に向けて延出するフランジ部３２が形成され、フランジ部３２の外周縁からは、カウンター１の内周縁１１に対して平行に配置される折り返し片３１が全周にわたって設けられている。これにより、折り返し片３１の内側には、折り返し片３１とフランジ部３２とシンク３の外周面における折り返し片３１に対抗する部分とで構成された、下方に開口する凹空間３３が形成されている。
【００１７】
なお、カウンター１およびシンク３の材質は特に限定されず、例えば、ステンレス製等の金属製、合成樹脂製等、いずれであってもよい。例えば、人造大理石からなるカウンター１とステンレス製のシンク３との組み合わせが挙げられるが、これに限定されない。
【００１８】
接着剤４は、図１に示すように、二層構造とされている。１層目の接着剤４１は、カウンター１の内周縁１１とシンク３の折り返し片３１との隙間２に注入され、硬化することで接合部４１ａを形成しており、接合部４１ａの表面４１ｂは、カウンター１の表面１５とともに、意匠面の一部を構成している。また、１層目の接着剤４１は、カウンター１の溝部１２、穴部１４、およびシンク３の凹空間３３にも充填されている。１層目の接着剤４１は、上述したように意匠面の一部を構成するため、硬化後の外観、硬さ、耐候性等を考慮して選択され、例えば、ウレタン樹脂を用いることができる。
【００１９】
２層目の接着剤４２は、１層目の接着剤４１が充填された隙間２の下方部分およびカウンター１の穴部１４の下方部分に充填され、かつシンク３の凹空間３３の下方部分からさらに折り返し片３１の下端部を超えて桟木５の側端面５１と接触するように充填されている。２層目の接着剤４２は、カウンター１とシンク３、および桟木５とシンク３との接合をより確実とし、キッチンカウンター全体の剛性を向上させる等、補強的な役割を果たすことを考慮して選択され、例えば、ウレタン樹脂を用いることができる。
【００２０】
なお、１層目の接着剤４１および２層目の接着剤４２の量、すなわち、図１に示す模式断面図における１層目の接着剤４１および２層目の接着剤４２の層の厚さは、適宜設定することができる。また、接着剤４は、二層構造とせずに、１種類の接着剤４１を充填して一層構造としてもよい。
【００２１】
このように、溝部１２に充填された接着剤４により、カウンター１の内周縁１１の全周にわたってせん断力が増加するため、シンク３に加えられた荷重を効果的に支えることができる。また、溝部１２に至る穴部１４に接着剤４が充填されることにより、図１に示すように、カウンター１の内周縁１１から溝部１２および穴部１４を通じて裏面１３に至るまで、カウンター１の内部が接着剤４で連続的に満たされているため、カウンター１と接着剤４との接合強度が向上する。
【００２２】
従って、本実施形態に係る接合構造を備えたキッチンカウンターでは、カウンター１とシンク３との間に隙間が生じることを抑制することができる。また、従来の接合構造よりも少ない量の接着剤４によって、カウンター１とシンク３との接合強度を確保することができる。
【００２３】
なお、本実施形態に係る接合構造を備えたキッチンカウンターを製造する際には、例えば、台座上に載置した治具の上に、カウンター１とシンク３を上下反転させて載置する。そして、カウンター１の開口部とシンク３の折り返し片３１との隙間２、カウンター１の溝部１２、穴部１４、およびシンク３の凹空間３３に接着剤４を注入して、カウンター１とシンク３とを接合する。
【００２４】
次に、第二の実施形態について説明する。図３は、本発明の第二の実施形態を示す模式断面図である。なお、以下では、第一の実施形態と同様の構成については同一の符号を付し、その説明を省略する。
【００２５】
本実施形態に係るカウンターとシンクの接合構造においては、図３に示すように、シンク３の折り返し片３１において、カウンター１の溝部１２と対向する位置に、貫通孔３４が所定の間隔を開けて設けられている。また、接合部材６が、貫通孔３４を通じて溝部１２に差し込まれている。
【００２６】
貫通孔３４の形状は、溝部１２の形状や、後述する接合部材６の種類、形状等に応じて適宜設定することができる。なお、貫通孔３４の設置数、設置間隔は、カウンター１の溝部１２の設置数、設置間隔に対応して決定される。
【００２７】
接合部材６は、シンク３の貫通孔３４を通じて溝部１２に差し込むことができる限りにおいて、その材質、形状等は特に限定されない。また、接合部材６は、長軸側の側面に凹凸を有さない滑らかな形状であってもよく、ネジ部（図示せず）を有していてもよい。なお、接合部材６がネジ部を有する場合には、シンク３の貫通孔３４およびカウンター１の溝部１２において、接合部材６のネジ部が螺合可能な雌ネジ部を設けることが考慮される。
【００２８】
また、接合部材６は、図３に示すように、貫通孔３４側の端部が貫通孔３４の幅よりも広い形状を有していることが好ましい。これにより、接合部材６をシンク３の貫通孔３４を通じて溝部１２に差し込む際に、接合部材６を所望の位置により正確に位置決めすることができる。
【００２９】
このように、接合部材６がシンク３の貫通孔３４を通じて溝部１２に差し込まれた構造を有することによって、カウンター１と接着剤４とシンク３とが、接合部材６を介してより一体的に接合される。そして、接着剤４および接合部材６の複合的な効果が発揮されることにより、シンク３に加えられた荷重をより効果的に支えることができる。
【００３０】
また、カウンター１とシンク３との接合強度を確保しつつ、接合部材６の体積に応じて、接着剤４の使用量をより低減することも可能となる。
【００３１】
以上、本発明の実施形態を詳述してきたが、具体的な形態はこれらの実施形態に限られるものではなく、本発明の要旨を逸脱しない範囲における設計の変更等があっても本発明に含まれる。
【符号の説明】
【００３２】
１  カウンター
１１  内周縁
１２  溝部
１３  裏面
１４  穴部
２  隙間
３  シンク
３１  折り返し片
３４  貫通孔
４  接着剤
６  接合部材
【図１】
2016211232.tif 000003
【図２】
2016211232.tif 000004
【図３】
2016211232.tif 000005
【図４】
2016211232.tif 000006